(57)【要約】【課題】搬送路内に塵埃が侵入するのを十分に抑制することが可能なカード読取装置を提供する。【解決手段】カード読取装置１０は、カード２０が挿入される挿入口１５と、カード２０を搬送するための搬送ローラ１７と、カード２０の情報を読み取るための磁気ヘッド７およびＩＣ接点９と、カード２０が搬送される搬送路２１と、搬送路２１が形成された領域とは異なる領域に設けられた通気管２２とを備えている。そして、通気管２２の一方端部２２ａは、搬送路２１の前端部２１ａと対応する領域に配置されるとともに、通気管２２の他方端部２２ｂは、搬送路２１の後端部２１ｂと対応する領域に配置されている。【選択図】図３
2009176078.tif 000002
【特許請求の範囲】
【請求項１】
カードが挿入される挿入口と、
前記挿入口から挿入されたカードを搬送するための搬送手段と、
前記搬送手段によりカードが搬送される搬送路と、
前記搬送手段により搬送されたカードの情報を読み取るための読取手段と、を備えたカード読取装置において、
前記搬送路が形成された領域とは異なる領域に設けられた通気管をさらに備え、
前記通気管の一方端部は、前記搬送路の一方端部と対応する領域に配置されるとともに、前記通気管の他方端部は、前記搬送路の他方端部と対応する領域に配置され、
前記通気管の通気路が、前記搬送路と実質的に平行となっていることを特徴とするカード読取装置。
【請求項２】
請求項１に記載のカード読取装置において、
前記通気管の両端部の少なくとも一方における開口面積が、当該端部と対応する搬送路の端部における開口面積よりも大きいことを特徴とするカード読取装置。
【請求項３】
請求項１または請求項２に記載のカード読取装置において、
前記通気管の両端部の少なくとも一方における開口にフィルタが設けられていることを特徴とするカード読取装置。
【請求項４】
請求項１ないし請求項３のいずれかに記載のカード読取装置において、
前記通気管が着脱可能に取り付けられていることを特徴とするカード読取装置。
【発明の詳細な説明】
【技術分野】
【０００１】
本発明は、防塵機構を備えたカード読取装置に関する。
【背景技術】
【０００２】
従来、搬送路内に塵埃が侵入するのを抑制するための防塵機構を備えたカード読取装置が知られている（たとえば、特許文献１および２参照）。
【０００３】
上記特許文献１には、カード挿入口と、カードを搬送する搬送用のローラ（搬送手段）と、カード挿入口と搬送用のローラとの間に設けられた防塵用の一対のローラ（防塵機構）とを備えた労務管理装置（カード読取装置）が開示されている。防塵用の一対のローラは、引っ張りばねにより互いに近づく方向に付勢されている。このため、労務管理装置は、カードが挿入されていない場合に、防塵用のローラが当接することにより、カードの搬送路を閉塞するとともに、カードが挿入された場合に、防塵用のローラが離間することにより、カードが搬送用のローラに送られるように構成されている。したがって、上記特許文献１の労務管理装置では、搬送路内に塵埃が侵入するのを抑制することが可能である。
【０００４】
また、上記特許文献２には、カード挿入口と、搬送ローラ（搬送手段）と、カード挿入口および搬送ローラの間に設けられた防塵シート（防塵機構）とを備えたカードリーダライタ（カード読取装置）が開示されている。防塵シートには、弾性変形可能な突起部分が形成されている。このため、カードリーダライタは、カードが挿入されていない場合に、突起部分によりカードの搬送路を閉塞するとともに、カードが挿入された場合に、突起部分が弾性変形することにより、カードが搬送ローラに送られるように構成されている。したがって、上記特許文献２のカードリーダライタでは、搬送路内に塵埃が侵入するのを抑制することが可能である。
【０００５】
ここで、カード読取装置が設けられるＡＴＭ等では、内部から発する電波および磁界等を外部と遮蔽する防磁対策や、外部からの故意的な破壊工作に対する防犯対策のために、筐体を強固で密閉された構造にすることが要求されている。また、ＡＴＭ等では、ファン等の冷却装置を設けることによって、内部に設けられた各処理部の発する熱を外部に発散させることが要求されている。
【０００６】
【特許文献１】特開平８−２９２９９７号公報
【特許文献２】特開２００２−２９８０９８号公報
【発明の開示】
【発明が解決しようとする課題】
【０００７】
したがって、ＡＴＭ等では、ファン等の回転により、密閉された筐体の内部の気圧と、外部の気圧とに差が発生するので、ＡＴＭ等に設けられたカード読取装置にカードが挿入される場合に、その気圧差に起因してカード読取装置の搬送路内に塵埃が侵入し、侵入した塵埃が読取ヘッド等に付着して動作不良をひき起こすという問題点がある。
【０００８】
また、上記特許文献１の労務管理装置の防塵機構、または、上記特許文献２のカードリーダライタの防塵機構をＡＴＭ等に設けられたカード読取装置に適用した場合にも、カードの搬送路を完全に閉塞した状態で、カードを挿入することは困難であるので、カードが挿入される際に、気圧差に起因して搬送路内に塵埃が侵入してしまうと考えられる。すなわち、上記特許文献１の労務管理装置の防塵機構、または、上記特許文献２のカードリーダライタの防塵機構をＡＴＭ等に設けられたカード読取装置に適用した場合にも、搬送路内に塵埃が侵入するのを十分に抑制することが困難であるという問題点がある。
【０００９】
本発明は、上述した課題を解決するものであって、その目的とするところは、搬送路内に塵埃が侵入するのを十分に抑制することが可能なカード読取装置を提供することである。
【課題を解決するための手段】
【００１０】
本発明のカード読取装置は、カードが挿入される挿入口と、挿入口から挿入されたカードを搬送するための搬送手段と、搬送手段によりカードが搬送される搬送路と、搬送手段により搬送されたカードの情報を読み取るための読取手段とを備えたカード読取装置において、搬送路が形成された領域とは異なる領域に設けられた通気管をさらに備え、通気管の一方端部は、搬送路の一方端部と対応する領域に配置されるとともに、通気管の他方端部は、搬送路の他方端部と対応する領域に配置されており、通気管の通気路が、搬送路と実質的に平行となっている。
【００１１】
このような構成によれば、カード読取装置が設けられたＡＴＭ等の筐体の内外で気圧差があっても、筐体に対して出入りする空気は通気管内を通るため、空気に含まれる塵埃が搬送路内に侵入するのを抑制することができる。
【００１２】
本発明では、通気管の両端部の少なくとも一方における開口面積が、当該端部と対応する搬送路の端部における開口面積よりも大きくなっていることが好ましい。このようにすると、開口面積の大きい通気管に塵埃が入りやすくなるので、塵埃が搬送路内に侵入しようとするのを効果的に抑制することができる。
【００１３】
また、本発明では、通気管の両端部の少なくとも一方における開口にフィルタが設けられることが好ましい。このようにすると、外部から通気管を介してＡＴＭ等の筐体内に塵埃や異物が侵入するのをフィルタによって阻止することができ、これにより、ＡＴＭ等の内部にある各処理部に、塵埃等が付着して動作不良が発生するのを抑制することができる。
【００１４】
本発明において、通気管は、カード読取装置に着脱可能に取り付けられていてもよい。このようにすると、既存のカード読取装置に通気管をオプション品として取り付けることができるとともに、通気路に塵埃が堆積した場合でも、カード読取装置から通気管を取り外して清掃を行うことができるので、メンテナンスが容易となる。
【発明の効果】
【００１５】
本発明によれば、通気管を設けることによって、カード読取装置にカードが挿入される際に、搬送路内に塵埃が侵入するのを十分に抑制することができる。
【発明を実施するための最良の形態】
【００１６】
以下、本発明の実施形態について、図面を参照しながら説明する。
【００１７】
図１は、本発明の一実施形態によるカード読取装置が設けられた上位装置を示した概略図である。図２は、図１に示したカード読取装置の構成を示したブロック図である。図３は、図１に示したカード読取装置の構造を示した概略図である。図４〜図９は、図３に示したカード読取装置の詳細構造を説明するための概略図である。まず、図１〜図９を参照して、本実施形態によるカード読取装置１０の構造について説明する。
【００１８】
本発明の一実施形態によるカード読取装置１０は、図１に示すように、金融機関等に設置されるＡＴＭ（Automated Teller  Machine：現金自動預け払い機）等の上位装置３０の前部（右側）に内蔵されている。このカード読取装置１０は、顧客が所有するカード２０を受け付けて、該カード２０に対する情報の読み取りおよび書き込みを行うように構成されている。カード２０は、磁気カード、ＩＣカード、または磁気ＩＣカードから成る。カード読取装置１０は、通信制御部１３（図２）により上位装置３０と通信可能に接続されている。顧客は、上位装置３０の前方に立って、カード２０をカード読取装置１０に挿入する。上位装置３０の後部（左側）には、ファン等の冷却装置４０が内蔵されている。上位装置３０の背面には、通気口３１が設けられている。上位装置３０の背面は、顧客から見えないように壁等で覆われている。
【００１９】
図２に示す主制御部１は、ＣＰＵから成り、カード読取装置１０の各部を統括的に制御する。記憶部２は、ＲＯＭやＳＲＡＭ等から成る。記憶部２には、主制御部１が各部を制御するためのプログラムやデータ等が記憶される。図３等に示すようにカード読取装置１０の前端（右端）には、挿入口１５が設けられている。カード読取装置１０の後端（左端）には、開口１６が設けられている。挿入口１５と開口１６は、カード２０をカード読取装置１０の内部１４に対して入出させるために設けられている。挿入口１５の近傍には、挿入センサ３が設けられている。挿入センサ３は、マイクロスイッチ等から成り、挿入口１５からカード２０が挿入されたことを検知する。
【００２０】
カード読取装置１０の内部１４には、上下一対の複数の搬送ローラ１７、複数の位置センサ４、磁気ヘッド７、およびＩＣ接点９が設けられている。搬送ローラ１７は、モータ１１（図２）の駆動により正方向または逆方向へ回転し、上下から挟み込んだカード２０を前後に往復搬送する。搬送ローラ１７とモータ１１は、挿入口１５、開口１６、および内部１４に対してカード２０を搬送する搬送手段の一例である。位置センサ４は、フォトセンサ等から成り、内部１４におけるカード２０の位置を検知する。磁気ヘッド７は、内部１４に搬送されたカード２０の磁気ストライプ２０ｍ（図８等）に接触する。ＩＣ接点９は、ソレノイド１２（図２）の駆動により上下に移動し、内部１４に搬送されたカード２０のＩＣ接点２０ｃ（図８等）に対して離間しまたは接触する。
【００２１】
図２に示す磁気リード制御部５は、磁気ヘッド７を介して、カード２０の磁気ストライプ２０ｍに記録された情報を読み取る。磁気ライト制御部６は、磁気ヘッド７を介して、カード２０の磁気ストライプ２０ｍに情報を書き込む。ＩＣ制御部８は、ＩＣ接点９、２０ｃを介して、カード２０に内蔵された図示しないＩＣに対して情報の読み取りおよび書き込みを行う。磁気ヘッド７、磁気リード制御部５、ＩＣ接点９、およびＩＣ制御部８は、カード２０の記録情報を読み取る読取手段の一例である。カード２０から読み取った情報は、通信制御部１３により上位装置３０へ送信される。カード２０に書き込む情報は、通信制御部１３により上位装置３０から受信する。
【００２２】
図３等に示すように内部１４と挿入口１５または開口１６との間には、シャッタ１８、１９が設けられている。シャッタ１８、１９は、それぞれソレノイド１２（図２）の駆動により上下に移動し、挿入口１５から開口１６に渡って形成されるカード２０の搬送路２１を開放しまたは閉塞する。シャッタ１８、１９およびＩＣ接点９を上下に移動させるソレノイド１２は、それぞれ別個のものである。
【００２３】
シャッタ１８、１９を上げて、搬送路２１を開放することで、カード２０が挿入口１５または開口１６を通って内部１４に対して入出することが可能となる。また、シャッタ１８、１９を下げて、搬送路２１を閉塞することで、カード２０や塵埃やその他の異物が挿入口１５または開口１６を通って内部１４に対して入出することが不可能となる。つまり、カード読取装置１０の内部１４が密閉状態となる。また、シャッタ１９を下げて、搬送路２１を閉塞することで、内部１４に搬送されたカード２０をＩＣ接点９、２０ｃ同士が接触する位置に停止させることが可能となる。すなわち、シャッタ１９は、内部１４に搬送されたカード２０を所定の位置に停止させるストッパとしても機能する。
【００２４】
搬送路２１の前端部（一方端部）２１ａ、後端部（他方端部）２１ｂは、上下フレーム２６、２７により形成されている。上下フレーム２６、２７の凹部２８内には、塵埃が挿入口１５または開口１６から内部１４へ進入するのを阻止する阻止手段２３が設けられている。阻止手段２３は、回転部材２４と付勢部材２５から構成されている。回転部材２４はローラから成る。付勢部材２５はばねから成る。
【００２５】
図４〜図７に示すように回転部材２４は、搬送路２１の前端部２１ａ、後端部２１ｂに上下一対でかつカード２０の入出方向（カード２０の搬送方向、図４等で左右方向）へ所定距離Ｘずらして設けられている。回転部材２４は、軸２４ｊを中心に回転する。軸２４ｊは、搬送路２１の上下に搬送路２１の幅方向（図８および図９で上下方向）と平行に設けられている。詳しくは、軸２４ｊは、図４〜図７で円周方向に回転可能でかつ上下方向へ移動可能に上下フレーム２６、２７に支持されている。図８および図９に示すように回転部材２４の幅は、搬送路２１とカード２０の幅より大きくなっている。搬送路２１の幅と高さはそれぞれ、カード２０の幅と厚みより若干（カード２０が通過できる程度に）大きくなっている。付勢部材２５は、一対の回転部材２４を互いに接触する方向（図４等で上方向または下方向）に押圧して付勢する。
【００２６】
上記構成により、一対の回転部材２４は、互いに接触しつつ、例えば図４および図６に矢印で示すカード２０の入出方向から見て、一部重なる。また、一対の回転部材２４は、図８および図９に示すようにカード２０と搬送路２１の全幅に渡って搬送路２１を閉塞する。また、一対の回転部材２４は、それぞれ単独に軸２４ｊを中心に回転しかつ上下に揺動する。さらに、一対の回転部材２４は、図５および図７に示すようにカード２０との接触により、即ちカード２０が一対の回転部材２４間に入り込むことにより、カード２０に押されて、上下へ退避する。
【００２７】
ここで、本実施形態では、図３に示すように、搬送路２１の下方に中空の通気管２２が設けられている。この通気管２２は、カード２０の入出方向（カード２０の搬送方向、図３等で左右方向）に通気路２２ａが延びるように設けられている。すなわち、通気管２２の通気路２２ａは、カード２０の搬送路２１と実質的に平行となっている。そして、通気路２２ａの長さは、搬送路２１の長さと実質的に同じである。また、通気管２２は、下フレーム２７と一体的に設けられている。例えば、通気管２２と下フレーム２７とは、合成樹脂により一体成形されている。
【００２８】
通気管２２は、一方端部２２ｄが搬送路２１の前端部２１ａと対応する領域の下方に配置されるとともに、他方端部２２ｅが搬送路２１の後端部２１ｂと対応する領域の下方に配置されるように構成されている。このため、一方端部２２ｄは、挿入口１５の近傍に配置されるとともに、他方端部２２ｅは、開口１６の近傍に配置されている。また、通気管２２の両端部２２ｄ，２２ｅにおける開口２２ｂ，２２ｃは、カード２０の入出方向から見て、それぞれ挿入口１５および開口１６のすぐ下に位置している。そして、これらの開口２２ｂ，２２ｃの開口面積は、搬送路２１の両端部における挿入口１５および開口１６の開口面積よりも大きくなっている。また、通気路２２ａは、一方端部２２ｄおよび他方端部２２ｅにおいて断面積が大きくなるように形成されている。さらに、通気管２２の一方端部２２ｄにおける開口２２ｂには、防塵用のフィルタ２２ｆが設けられている。
【００２９】
次に、本実施形態によるカード読取装置１０の動作について説明する。
【００３０】
まず、カード２０が挿入口１５から挿入されると、挿入センサ３がカード２０を検知することにより、シャッタ１８を開き、搬送路２１を開放する。そして、さらにカード２０が奥へ挿入されると、図５に示すように、一対の回転部材２４がカード２０の形状に従ってそれぞれ上下へ揺動し、カード２０を間に挟み込む。
【００３１】
その後、カード２０がシャッタ１８の下方を通過して、内部１４へ挿入されると、位置センサ４により、カード２０の位置が検知されるとともに、搬送ローラ１７により、カード２０が搬送される。
【００３２】
挿入されたカード２０が磁気カードである場合は、磁気ヘッド７によりカード２０の磁気ストライプ２０ｍから情報の読み取りまたは書き込みを行う。挿入されたカード２０がＩＣカードまたは磁気ＩＣカードである場合は、ＩＣ接点９により、カード２０のＩＣに対する情報の読み取りまたは書き込みを行う。
【００３３】
カード２０の種類は、例えば顧客が上位装置３０に入力した媒体情報より判別する。これ以外に、例えばカード２０のＩＣ接点２０ｃを検知する金属センサを挿入口１５近傍に設け、該金属センサからの出力信号によりカード２０の種類を判別するようにしてもよい。
【００３４】
なお、カード２０に対する読み取りは、搬送ローラ１７が正方向に回転されることにより、カード２０が挿入口１５側から開口１６側に搬送される際に行われるとともに、カード２０に対する書き込みは、搬送ローラ１７が逆方向に回転されることにより、カード２０が開口１６側から挿入口１５側に搬送される際に行われる。
【００３５】
その後、カード２０を顧客に返却する場合は、搬送ローラ１７を逆方向に回転させることにより、カード２０を挿入口１５から排出する。また、カード２０を回収する場合は、搬送ローラ１７を正方向に回転させることにより、カード２０を開口１６から上位装置３０に内蔵された図示しない回収箱に回収する。
【００３６】
本実施形態では、上記のように、搬送路２１の下方に通気管２２を設けることによって、空気流のバイパス経路が形成されるので、シャッタ１８、１９が開いた際に、上位装置３０の内外の気圧差に起因してカード読取装置１０の搬送路２１内に塵埃が侵入するのを十分に抑制することができる。
【００３７】
具体的には、冷却装置４０が排気ファンである場合には、もし通気管２２が設けられていないとすると、排気により上位装置３０の内部３２の気圧が外部の気圧よりも低くなることで、シャッタ１８、１９が開いた際に、外部の空気が挿入口１５から搬送路２１へ流れ込み、空気に含まれる塵埃が搬送路２１内に侵入するが、通気管２２を設けると、上位装置３０の内外で気圧差があっても、外部の空気は挿入口１５に比べて開口面積の大きい開口２２ｂから通気路２２ａへ流れ込み、通気管２２内を通るため、空気に含まれる塵埃が搬送路２１内に侵入するのを抑制することができる。
【００３８】
また、冷却装置４０が吸気ファンである場合には、もし通気管２２が設けられていないとすると、吸気により上位装置３０の内部３２の気圧が外部の気圧よりも高くなることで、シャッタ１８、１９が開いた際に、吸気した空気が開口１６から搬送路２１へ流れ込み、空気に含まれる塵埃が搬送路２１内に侵入するが、通気管２２を設けると、上位装置３０の内外で気圧差があっても、吸気した空気は開口１６に比べて開口面積の大きい開口２２ｃから通気路２２ａへ流れ込んで通気管２２内を通るため、空気に含まれる塵埃が搬送路２１内に侵入するのを抑制することができる。
【００３９】
このようにして、ファンによる排気および吸気のいずれの場合においても、塵埃を含む空気が通気管２２の通気路２２ａを通るため、挿入口１５および開口１６を介して搬送路２１内に塵埃が侵入するのを抑制することができる。したがって、カード読取装置１０の各部１〜９、１１〜１３、１７〜１９や上位装置３０の内部３２にある各処理部に、塵埃等が付着して動作不良が発生するのを抑制することができる。その結果、メンテナンスの負担を軽減するとともに、カード読取装置１０の長寿命化を図ることができる。
【００４０】
また、本実施形態では、通気管２２の両端部２２ｄ，２２ｅにおける開口２２ｂ，２２ｃが、搬送路２１の両端部２１ａ，２１ｂにおける挿入口１５および開口１６と近接した位置にあるので、挿入口１５および開口１６から搬送路２１に侵入しようとする塵埃を開口２２ｂ，２２ｃから通気路２２ａへ導きやすくなり、しかも、開口２２ｂ，２２ｃの開口面積が挿入口１５および開口１６の開口面積よりも大きいため、塵埃が通気管２２へ入りやすくなる。これにより、塵埃が挿入口１５および開口１６を介して搬送路２１内に侵入しようとするのを効果的に抑制することができる。
【００４１】
また、本実施形態では、通気管２２の一方端部２２ｄに防塵用のフィルタ２２ｆを設けることによって、外部から通気管２２を介して上位装置３０の内部３２に塵埃や異物が侵入するのを阻止することができ、これにより、上位装置３０の内部３２にある各処理部に、塵埃等が付着して動作不良が発生するのを抑制することができる。
【００４２】
なお、防塵用のフィルタ２２ｆに塵埃が堆積した場合に、フィルタ２２ｆを交換できるよう、フィルタ２２ｆは通気管２２に着脱自在に取り付けられていることが好ましい。これにより、フィルタ２２ｆを容易に取り替えることができるので、メンテナンスの負担を軽減することができる。
【００４３】
また、本実施形態では、一対の回転部材２４を、互いに接触しつつ、搬送方向においてずらして設けることによって、カード２０の搬送方向から見て、回転部材２４が一部重なるように配置されることにより、部品精度や組立精度の影響を受けた場合にも、適切に搬送路２１を閉塞することができる。これによっても、カード読取装置１０の各部１〜９、１１〜１３、１７〜１９や上位装置３０の内部３２にある各処理部に、塵埃等が付着して動作不良が発生するのをより効果的に抑制することができる。
【００４４】
上記実施形態では、通気管２２を下フレーム２７と一体的に設けた例を示したが、通気管２２を下フレーム２７と別体とし、ビスやフック等により下フレーム２７に着脱可能に取り付けてもよい。このようにすれば、通気構造を有する専用のカード読取装置を製造しなくても、既存のカード読取装置に通気管２２をオプション品として取り付けることができる。また、通気管２２の通気路２２ａやフィルタ２２ｆに塵埃が堆積した場合でも、上位装置３０からカード読取装置１０全体を取り外す必要がなく、通気管２２だけを取り外して通気管２２の清掃やフィルタ２２ｆの交換を行うことができるので、メンテナンスが一層容易となる。
【００４５】
本発明は、上述した以外にも種々の実施形態を採用することができる。たとえば、上記実施形態では、通気管２２を搬送路２１の下方に設ける例を示したが、本発明はこれに限らず、通気管２２を搬送路２１の上方や側方に設けてもよい。また、通気管２２は１つに限らず、複数設けてもよい。
【００４６】
また、上記実施形態では、通気路２２ａの長さが搬送路２１の長さと実質的に同じである場合を例に挙げたが、本発明はこれに限らず、通気路２２ａの長さが搬送路２１の長さより長くてもよいし、短くてもよい。
【００４７】
また、上記実施形態では、通気路２２ａの断面積が一方端部２２ｄおよび他方端部２２ｅにおいて大きくなるように形成された通気管２２を示したが、本発明はこれに限らず、通気路２２ａの断面積が全長にわたって同じである通気管２２を用いてもよい。
【００４８】
また、上記実施形態では、防塵用のフィルタ２２ｆを通気管２２の一方端部２２ｄに設ける例を示したが、本発明はこれに限らず、防塵用のフィルタ２２ｆを通気管２２の他方端部２２ｅに設けてもよいし、防塵用フィルタ２２ｆを一方端部２２ｄおよび他方端部２２ｅの両方に設けてもよい。
【００４９】
また、上記実施形態では、シャッタ１８、１９の外側に阻止手段２３を設ける例を示したが、本発明はこれに限らず、シャッタ１８、１９の外側に阻止手段２３を設けない場合にも適用が可能である。
【００５０】
また、他の実施形態として、冷却装置４０に加えて、通気管２２にファン（図示せず）などを設けることによって、通気路２２ａに強制的に空気を導き、塵埃が搬送路２１内に侵入することなく通気管２２を通過するようにしてもよい。このように構成すれば、塵埃が搬送路２１内に侵入するのをより効果的に抑制することができる。また、カード読取装置１０の駆動系の動きに起因して発生する風を用いて、所定の空気の流路を形成するようにしてもよい。
【００５１】
上記実施形態では、カード２０に対して情報の読み取りおよび書き込みを行うことが可能なカード読取装置１０に本発明を適用したが、本発明はこれ以外にも、カード２０に対して情報の読み取りのみを行うカード読取装置に適用することも可能である。
【００５２】
さらに、上記実施形態では、磁気ヘッド７とＩＣ接点９を両方備えたカード読取装置１０に本発明を適用したが、本発明はこれ以外に、例えば磁気ヘッド、ＩＣ接点、非接触式のＩＣヘッドのいずれかを備えたカード読取装置にも適用することが可能である。
【図面の簡単な説明】
【００５３】
【図１】本発明の一実施形態によるカード読取装置が設けられた上位装置を示した概略図である。
【図２】カード読取装置の構成を示したブロック図である。
【図３】カード読取装置の構造を示した側面断面図である。
【図４】カード読取装置の挿入口近傍を示した側面断面図である。
【図５】カード読取装置の挿入口近傍を示した側面断面図である。
【図６】カード読取装置の開口近傍を示した側面断面図である。
【図７】カード読取装置の開口近傍を示した側面断面図である。
【図８】カード読取装置の挿入口近傍を示した平面断面図である。
【図９】カード読取装置の開口近傍を示した平面断面図である。
【符号の説明】
【００５４】
５      磁気リード制御部（読取手段）
７      磁気ヘッド（読取手段）
８      ＩＣ制御部（読取手段）
９      ＩＣ接点（読取手段）
１０    カード読取装置
１１    モータ（搬送手段）
１５    挿入口
１７    搬送ローラ（搬送手段）
２１    搬送路
２１ａ  前端部（一方端部）
２１ｂ  後端部（他方端部）
２２    通気管
２２ａ  通気路
２２ｂ，２２ｃ  開口
２２ｄ  一方端部
２２ｅ  他方端部
２２ｆ  フィルタ
【図１】
2009176078.tif 000003
【図２】
2009176078.tif 000004
【図３】
2009176078.tif 000005
【図４】
2009176078.tif 000006
【図５】
2009176078.tif 000007
【図６】
2009176078.tif 000008
【図７】
2009176078.tif 000009
【図８】
2009176078.tif 000010
【図９】
2009176078.tif 000011